(57)【要約】【課題】自動販売機の上部に残るスペースを有効に利用し、販売促進や顧客収集を図るサービスを提供することができる、自動販売機用什器を提供することを目的とする。【解決手段】自動販売機の蓋部として取り付け可能な底部１１０と、底部１１０の端上に設けられる底フレーム１１１と、底フレーム１１１の所定位置から立ち上がって設けられるフレーム１１２とを備える自動販売機用什器１００、または、自動販売機の蓋部に取り付け可能な底フレーム１１１と、底フレーム１１１の所定位置から立ち上がって設けられるフレーム１１２とを備える自動販売機用什器１００を提供する。【選択図】  図４
0003125704.tif 000002
【実用新案登録請求の範囲】
【請求項１】
自動販売機の蓋部として取り付け可能な底部と、前記底部の端上に設けられる底フレームと、前記底フレームの所定位置から立ち上がって設けられるフレームとを備えることを特徴とする自動販売機用什器。
【請求項２】
自動販売機の蓋部に取り付け可能な底フレームと、前記底フレームの所定位置から立ち上がって設けられるフレームとを備えることを特徴とする自動販売機用什器。
【請求項３】
前記底フレームに陳列台取り付け部を備え、前記陳列台取り付け部に取り付ける陳列台を用いてサービスを提供することを特徴とする請求項１または２に記載の自動販売機用什器。
【請求項４】
前記フレームに複数の陳列棚取り付け部を備え、前記陳列棚取り付け部に取り付ける陳列棚あるいは端末機を用いてサービスを提供することを特徴とする請求項１または２に記載の自動販売機用什器。
【請求項５】
販売促進または顧客収集を図るサービスを提供することを特徴とする請求項１乃至４の何れかに記載の自動販売機用什器。
【請求項６】
広告媒体としてのサービスを提供することを特徴とする請求項１乃至４の何れかに記載の自動販売機用什器。
【請求項７】
カプセルまたはカードゲーム自動販売機に取り付けることを特徴とする請求項１乃至６の何れかに記載の自動販売機用什器。
【請求項８】
自動販売機または自動販売機用什器、あるいは自動販売機本体または自動販売機用什器に備えた商品を識別するためのＱＲコード、バーコード、あるいはＲＦＩＤチップを備えることを特徴とする請求項１乃至７の何れかに記載の自動販売機用什器。
【請求項９】
自動販売機の蓋部として取り付け可能な底部と、前記底部の端上に設けられる底フレームと、前記底フレームの所定位置から立ち上がって設けられるフレームとを備える自動販売機用什器を前記自動販売機の蓋部として取り付けたことを特徴とする自動販売機。
【請求項１０】
自動販売機の蓋部に取り付け可能な底フレームと、前記底フレームの所定位置から立ち上がって設けられるフレームとを備える自動販売機用什器を前記自動販売機の蓋部に取り付けたことを特徴とする自動販売機。
【考案の詳細な説明】
【技術分野】
【０００１】
本考案は、自動販売機用什器、及びそれを取り付けた自動販売機に関する。
【背景技術】
【０００２】
図３は、カプセル自動販売機２００の斜視図を示したものである。カプセル自動販売機２００は、商品を入れたカプセルを筐体２１１内で管理し、購入者が硬貨投入口に硬貨を投入し、筐体２１１に備えたハンドル２１２を回転することにより、筐体２１１内の１つのカプセルを取出口２１３に出して販売するものである。
【０００３】
カプセル自動販売機は、スーパーマーケット、玩具屋、コンビニエンスストア、あるいは駄菓子屋等、店舗内で空いているスペース等を利用して複数台設置することが多い。それ以外にもカプセル自動販売機を数十台〜百数十台設置する専門店もあり、様々な場所に設置可能である。
【０００４】
また、販売する商品は、幼稚園や小学校の児童等を対象とした手のひらサイズの玩具が多い。それ以外のサイズの玩具もあり、さらに、大人を対象としてブランド商品等を販売する形態もあり、様々な商品が販売可能である。
【考案の開示】
【考案が解決しようとする課題】
【０００５】
しかしながら、カプセル自動販売機のように筐体内の商品のみ販売することを目的とする自動販売機は、それ以外の商品の販売促進が図れないという問題がある。また、カプセル自動販売機のように筐体内の商品により年齢層が特定される自動販売機は、店舗内で空いているスペース等を利用して顧客収集が図れないという問題がある。さらに、自動販売機の上部にはスペースが残るが、有効に利用できていないという問題がある。
【０００６】
こうした問題に着目し、本考案は、自動販売機の上部に残るスペースを有効に利用し、販売促進や顧客収集を図るサービスを提供することができる、自動販売機用什器と、それを取り付けた自動販売機を提供することを目的とする。
【課題を解決するための手段】
【０００７】
本考案の自動販売機用什器は、自動販売機の蓋部として取り付け可能な底部と、前記底部の端上に設けられる底フレームと、前記底フレームの所定位置から立ち上がって設けられるフレームとを備えることを特徴とする。
【０００８】
また、本考案の自動販売機用什器は、自動販売機の蓋部に取り付け可能な底フレームと、前記底フレームの所定位置から立ち上がって設けられるフレームとを備えることを特徴とする。
【０００９】
本考案の自動販売機は、自動販売機の蓋部として取り付け可能な底部と、前記底部の端上に設けられる底フレームと、前記底フレームの所定位置から立ち上がって設けられるフレームとを備える自動販売機用什器を自動販売機の蓋部として取り付けたことを特徴とする。
【００１０】
また、本考案の自動販売機は、自動販売機の蓋部に取り付け可能な底フレームと、前記底フレームの所定位置から立ち上がって設けられるフレームとを備える自動販売機用什器を自動販売機の蓋部に取り付けたことを特徴とする。
【考案の効果】
【００１１】
本考案の自動販売機用什器と、それを取り付けた自動販売機によれば、自動販売機の上部に残るスペースを有効に利用することができ、販売促進や顧客収集を図るサービスを提供することができる。
【考案を実施するための最良の形態】
【００１２】
以下、本考案を実施するための最良の形態について説明する。図１及び図２は、本考案の一実施の形態の自動販売機用什器の斜視図を示したものである。本考案の一実施の形態の自動販売機用什器は、カプセル自動販売機に取り付けるカプセル自動販売機用什器であり、図１に示すように、カプセル自動販売機の蓋部と一体に形成したものや、図２に示すように、カプセル自動販売機の蓋部と分離し、取り付け可能に形成したもの等がある。
【００１３】
図１に示すカプセル自動販売機用什器１００ａは、カプセル自動販売機２００の蓋部２１０として取り付け可能な底部１１０と、底部１１０の端上に設けられる底フレーム１１１と、底フレーム１１１の所定位置から立ち上がって設けられるフレーム１１２とを備えている。ここで、蓋部２１０として取り付ける底部１１０の取り付け手段は、カプセル自動販売機２００の蓋部２１０を取った状態に底部１１０を嵌着、あるいは施錠する形態等が考えられるが、これに限定するものではなく、それ以外の形態であっても良い。
【００１４】
また、図２に示すカプセル自動販売機用什器１００ｂは、カプセル自動販売機２００の蓋部２１０に取り付け可能な底フレーム１１１と、底フレーム１１１の所定位置から立ち上がって設けられるフレーム１１２とを備えている。ここで、蓋部２１０に取り付ける底フレーム１１１の取り付け手段は、カプセル自動販売機２００の蓋部２１０の所定位置にて底フレーム１１１を螺旋止め、溶接、あるいは施錠する形態等が考えられるが、これに限定されるものではなく、それ以外の形態であっても良い。
【００１５】
そして、カプセル自動販売機用什器１００ａ、１００ｂは、底フレーム１１１に陳列台取り付け部１１３、フレーム１１２に陳列棚取り付け部１１５を備え、陳列部取り付け部１１３に取り付ける陳列台１１４、または陳列棚取り付け部１１５に取り付ける陳列棚１１６あるいは端末機５１０等を用いて、販売促進や顧客収集を図るサービスを提供する（図６参照）。
【００１６】
ここで、本考案の販売促進を図るサービスとは、カプセル自動販売機２００の筐体２１１内の商品に関連を持たせる商品を陳列台１１４や陳列棚１１６に陳列させ、さらに、筐体２１１内の商品やその商品に関連を持たせる商品の情報を表示、取得できる端末機５１０等を設置することにより、筐体２１１内の商品以外の商品の販売促進を図るサービスであり、相乗効果も期待できる。陳列台１１４や陳列棚１１６に陳列させるものとしては、例えば、筐体２１１内の商品と併せて用いるアイテムやキャラクター商品等の陳列が考えられる。また、端末機５１０に表示させるものとしては、筐体２１１内で取り扱っている商品の広告や商品の説明情報やプレゼント情報等が考えられる。
【００１７】
また、本考案の顧客収集を図るサービスとは、カプセル自動販売機２００の筐体２１１内の商品により特定される顧客の年齢層とは無関係な商品を陳列台１１４や陳列棚１１６に陳列させ、さらに、様々な情報を表示、取得できる端末機５１０等を設置することにより、筐体２１１内の商品により特定される顧客の年齢層とは無関係に顧客収集を図るサービスであり、相乗効果も期待できる。陳列台１１４や陳列棚１１６に陳列させるものとしては、例えば、雑誌、フリーペーパー、広告等の陳列が考えられ、それ以外に充電器の設置等も考えられる。また、端末機５１０に表示させるものとしては、店舗の案内情報、お買い得情報等が考えられる。
【００１８】
このように、カプセル自動販売機用什器１００ａ、１００ｂに取り付ける陳列台１１４、陳列棚１１６あるいは端末機５１０等を用いて、販売促進や顧客収集を図るサービスを提供することができる。なお、図に示す陳列棚１１６は、商品を引っ掛けるフック１１７を有するものであるが、陳列棚１１６の形状は任意に設計でき、陳列台１１４も同様である。また、図６に示す端末機５１０は陳列棚取り付け部１１５に直接設置しているが（図６参照）、陳列台１１４や陳列棚１１６に設置することもできる。なお、本考案の販売促進や顧客収集を図るサービスは、上記で説明した内容に限定するものではなく、それ以外のサービスは任意に提供できるものである。さらに、端末機５１０は、インターネット通信可能としても良く、これにより、様々な情報を取得することができる。
【００１９】
図３は、本考案の一実施の形態のカプセル自動販売機２００の斜視図を示したものである。上記したように、カプセル自動販売機２００は、商品を入れたカプセルを筐体２１１内で管理し、購入者が硬貨投入口に硬貨を投入し、筐体２１１に備えたハンドル２１２を回転することにより、筐体２１１内の１つのカプセルを取出口２１３に出して販売するものである。カプセル自動販売機２００は、既存のものを使用することができ、図１に示すカプセル自動販売機用什器１００ａを取り付ける場合は、カプセル自動販売機２００の蓋部２１０を取ってから、カプセル自動販売機用什器１００ａの底部１１０を取り付ける（図１、図４参照）。また、図２に示すカプセル自動販売機用什器１００ｂを取り付ける場合は、カプセル自動販売機２００の蓋部２１０の所定位置にて取り付ける（図２、図４参照）。
【００２０】
図５は、フリーペーパー用ラックの斜視図を示したものである。フリーペーパー用ラック４００は、フリーペーパーを陳列させるラック４１０を設置したものであり、スーパーマーケット、玩具屋、コンビニエンスストア、あるいは駄菓子屋等、カプセル自動販売機１００と同様、店舗内で空いているスペース等を利用して複数台設置することが多い。本考案の一実施の形態では、カプセル自動販売機用什器１００とともにフリーペーパー用ラック４００も併用することにより、店舗内で空いているスペース等を有効に利用して顧客収集を図るサービスの相乗効果が期待できる。図６は、本考案の一実施の形態のカプセル自動販売機用什器１００とそれを取り付けたカプセル自動販売機の運用形態を示したものである。また、図１、図２及び図４に示したカプセル自動販売機用什器１００は、カプセル自動販売機２００に一段だけ取り付ける形態としているが、これに限定するものではなく、図６に示すように、積み重ね可能とする形態とすることもできる。
【００２１】
以上、本考案の一実施の形態によれば、カプセル自動販売機の上部に残るスペースを有効に利用し、カプセル自動販売機２００の筐体２１０内の商品に関連を持たせる商品を陳列台１１４や陳列棚１１６に陳列させ、さらに、筐体２１１内の商品やその商品に関連を持たせる商品の情報を表示、取得できる端末機５１０等を設置することにより、筐体２１１内の商品以外の商品の販売促進を図るサービスを提供でき、また、カプセル自動販売機２００の筐体２１１内の商品により特定される顧客の年齢層とは無関係な商品５１１を陳列台１１４や陳列棚１１６に陳列させ、さらに、様々な情報を表示、取得できる端末機５１０等を設置することにより、筐体２１１内の商品により特定される顧客の年齢層とは無関係に顧客収集を図るサービスを提供でき、さらに、相乗効果も期待できる。
【産業上の利用可能性】
【００２２】
なお、本考案の一実施の形態の自動販売機用什器は、カプセル自動販売機に取り付けるカプセル自動販売機用什器について説明したが、カードゲーム自動販売機に取り付けるカードゲーム自動販売機用什器として設計することも可能であり、その他の自動販売機について任意に設計できるものである。
【００２３】
また、本考案の一実施の形態の自動販売機用什器は、販売促進または顧客収集を図るサービスを提供することについて説明したが、広告媒体としてのサービスを提供することもできる。
【００２４】
さらに、本考案の出願人は、自動販売機の筐体内の販売管理や勤務管理等を行うシステムについて特許出願を行っている（特願２００１−３０２２５４）。これに伴い、自動販売機本体または自動販売機用什器、あるいは自動販売機本体または自動販売機用什器に備えた商品を識別するためのＱＲコード、バーコード、あるいはＲＦＩＤチップ等を自動販売機用什器に備えるようにしても良い。オペレータは販売管理や勤務管理を行う管理サーバと通信可能な端末機を用いて自動販売機用什器に備えたＱＲコードまたはバーコード、あるいはＲＦＩＤチップ等を読み取り、管理サーバと通信を行うことにより、自動販売機の商品や自動販売機什器に備えた商品等の販売管理や勤務管理等を行うことが可能となる。
【００２５】
さらに、端末機５１０をインターネット通信可能とすることにより、オペレータは端末機を携帯しなくても管理サーバ側へデータを送信することが可能となり、さらに、販売商品等の数をカウントするカウンタを備え、また、端末機５１０が所定時間毎に管理サーバ側と通信可能とすることにより、売れ行き具合を示すデータを自動的に送信することが可能となる。
【図面の簡単な説明】
【００２６】
【図１】本考案の一実施の形態の自動販売機用什器を示した斜視図
【図２】本考案の一実施の形態の自動販売機用什器を示した斜視図
【図３】本考案の一実施の形態のカプセル自動販売機を示した斜視図
【図４】本考案の一実施の形態の自動販売機用什器を取り付けた自動販売機を示した斜視図
【図５】フリーペーパー用ラックを示した斜視図
【図６】本考案の一実施の形態の自動販売機用什器とそれを取り付けたカプセル自動販売機の運用形態を示した図
【符号の説明】
【００２７】
１００  カプセル自動販売機用什器
１１１  底フレーム
１１２  フレーム
１１３  陳列台取り付け部
１１４  陳列台
１１５  陳列棚取り付け部
１１６  陳列棚
１１７  フック
２００  カプセル自動販売機
２１０  蓋部
２１１  筐体
２１２  ハンドル
２１３  取出口
４００  フリーペーパー用ラック
４１０  ラック
５１０  端末機
５１１  商品
【図１】
0003125704.tif 000003
【図２】
0003125704.tif 000004
【図３】
0003125704.tif 000005
【図４】
0003125704.tif 000006
【図５】
0003125704.tif 000007
【図６】
0003125704.tif 000008